(57)【特許請求の範囲】
【請求項１】
電子マネー機能付き無線ＩＣカードによる決済時に、表示部に残額表示が可能な決済装置の決済情報表示方法であって、設定装置により前記無線ＩＣカードに対応して設定された残額表示を制御する設定情報に基づいて少なくとも所定の金額範囲の前記残額表示を非表示に制御することを特徴とする決済情報表示方法。
【請求項２】
前記設定情報には、所定の上限金額を制御情報として含み、前記設定情報に基づいて前記決済後の残額が前記上限金額以上の場合に残額表示を非表示とすることを特徴とする請求項１記載の決済情報表示方法。
【請求項３】
前記設定情報には、前記上限金額より低い下限金額を制御情報として含み、前記設定情報に基づいて前記決済後の残額が前記下限金額以下の場合に残額表示を非表示とすることを特徴とする請求項２記載の決済情報表示方法。
【請求項４】
前記設定情報には、通信装置にメール送信を行う制御情報を含み、前記設定情報に基づいて前記通信装置に前記決済後の残額を表示するための情報を含むメール送信を行うことを特徴とする請求項１ないし３の何れかの請求項記載の決済情報表示方法。
【請求項５】
前記決済装置は自動改札機であり、前記設定装置は自動券売機であることを特徴とする請求項１ないし４の何れかの請求項記載の決済情報表示方法。
【請求項６】
前記設定情報は無線ＩＣカード毎のデータベースとして記憶されていることを特徴とする請求項１ないし５の何れかの請求項記載の決済情報表示方法。
【請求項７】
前記設定情報は無線ＩＣカード毎に該無線ＩＣカードの内部メモリに記憶されていることを特徴とする請求項１ないし５の何れかの請求項記載の決済情報表示方法。
【請求項８】
電子マネー機能付き無線ＩＣカードによる決済時に、表示部に残額表示が可能であり、設定情報に基づいて少なくとも所定の金額範囲の前記残額表示を非表示とする決済装置と、前記無線ＩＣカードに対応して残額表示を非表示に制御する前記設定情報を設定可能な設定装置と、を備えることを特徴とする決済情報表示システム。
【請求項９】
前記設定情報には、所定の上限金額を制御情報として含み、前記決済装置は、前記設定情報に基づいて前記決済後の残額が前記上限金額以上の場合に前記残額表示を非表示とすることを特徴とする請求項８記載の決済情報表示システム。
【請求項１０】
前記設定情報には、前記上限金額より低い下限金額を制御情報として含み、前記決済装置は、前記設定情報に基づいて前記決済後の残額が前記下限金額以下の場合に前記残額表示を非表示とすることを特徴とする請求項９記載の決済情報表示システム。
【請求項１１】
前記設定情報には、通信装置にメール送信を行う制御情報を含み、前記設定情報に基づく前記決済装置からの制御により、前記通信装置に残額表示の情報を含むメール送信を行うメール送信サーバを備えることを特徴とする請求項８ないし１０の何れかの請求項記載の決済情報表示システム。
【請求項１２】
前記決済装置は自動改札機であり、前記設定装置は自動券売機であることを特徴とする請求項８ないし１１の何れかの請求項記載の決済情報表示システム。
【請求項１３】
前記設定装置で設定した前記設定情報を無線ＩＣカード毎のデータベースに記憶する制御サーバを備えることを特徴とする請求項８ないし１２の何れかの請求項記載の決済情報表示システム。
【請求項１４】
前記設定装置で設定した前記設定情報は無線ＩＣカード毎に無線ＩＣカードの内部メモリに記憶されていることを特徴とする請求項８ないし１２の何れかの請求項記載の決済情報表示システム。
【請求項１５】
前記請求項１３記載の決済情報表示システムに使用される制御サーバであって、前記設定装置から入力した無線ＩＣカードの識別情報と該無線ＩＣカードに対応して設定した前記設定情報とを関連付けて前記データベースに記憶し、前記決済装置から入力した識別情報に対応する設定情報を前記データベースから読み出し前記決済装置に出力する制御を行うことを特徴とする制御サーバ。
【請求項１６】
前記請求項１５記載の制御サーバに使用されるデータベースであって、無線ＩＣカード毎の識別情報と該識別情報に対応する設定情報を関連付けて記録されたことを特徴とするデータベース。
【請求項１７】
前記請求項１４記載の決済情報表示システムに使用される無線ＩＣカードであって、無線ＩＣカードの識別情報と前記設定装置で設定した無線ＩＣカードの前記設定情報とを関連付けて内部メモリの記憶領域に記憶し、前記決済装置への接近時に前記設定情報を前記決済装置に出力することを特徴とする電子マネー機能付き無線ＩＣカード。
【請求項１８】
電子マネー機能付き無線ＩＣカードによる決済時に、表示部に残額表示が可能な決済装置であって、前記無線ＩＣカードの接近を検出して電子マネーによる決済を行う決済手段と、設定装置により前記無線ＩＣカードに対応して設定された前記残額表示を非表示に制御する設定情報に基づいて、少なくとも所定の金額範囲の前記残額表示を非表示に制御する表示制御手段と、を備えることを特徴とする決済装置。
【請求項１９】
前記設定情報には、所定の上限金額を制御情報として含み、前記決済装置は、前記設定情報に基づいて前記決済後の残額が前記上限金額以上の場合に前記残額表示を非表示とすることを特徴とする請求項１８記載の決済装置。
【請求項２０】
前記設定情報には、前記上限金額より低い下限金額を制御情報として含み、前記決済装置は、前記設定情報に基づいて前記決済後の残額が前記下限金額以下の場合に前記残額表示を非表示とすることを特徴とする請求項１９記載の決済装置。
【請求項２１】
前記設定情報には、通信装置にメール送信を行う制御情報を含み、前記決済装置は、前記設定情報に基づいて前記通信装置に前記残額表示の情報をメール送信するメール送信サーバを制御するメール送信制御手段を備えることを特徴とする請求項１８ないし２０の何れかの請求項記載の決済装置。
【請求項２２】
前記設定装置は自動券売機であり、前記決済装置は自動改札機であることを特徴とする請求項１８ないし２１の何れかの請求項記載の決済装置。
【請求項２３】
前記設定情報は無線ＩＣカード毎にデータベースとして記憶されており、前記決済時に前記設定情報を取得する取得手段を備えることを特徴とする請求項１８ないし２２の何れかの請求項記載の決済装置。
【請求項２４】
前記設定装置で設定した無線ＩＣカード毎の前記設定情報は該無線ＩＣカードの内部メモリに記憶されており、前記決済時に前記無線ＩＣカードから前記設定情報を受信する受信手段を備えることを特徴とする請求項１８ないし２２の何れかの請求項記載の決済装置。
【請求項２５】
電子マネー機能付き無線ＩＣカードによる決済時に、表示部に残額表示が可能であり、設定情報に基づいて少なくとも所定の金額範囲の前記残額表示を非表示に制御可能な決済装置に対する前記設定情報を設定する設定装置であって、前記無線ＩＣカードに対応して残額表示を非表示に制御する前記設定情報を設定する表示設定手段を備えることを特徴とする設定装置。
【請求項２６】
前記表示設定手段は、所定の上限金額を制御情報として含む前記設定情報を設定可能であることを特徴とする請求項２５記載の設定装置。
【請求項２７】
前記表示設定手段は、前記上限金額より低い下限金額を制御情報して含む前記設定情報を設定可能であることを特徴とする請求項２６記載の設定装置。
【請求項２８】
前記表示設定手段は、前記決済装置がメール送信サーバから通信装置に決済後の残額の情報のメール送信を行う制御情報を含む前記設定情報を設定可能であることを特徴とする請求項２５ないし２７の何れかの請求項記載の設定装置。
【請求項２９】
前記決済装置は自動改札機であり、前記設定装置は自動券売機であることを特徴とする請求項２５ないし２８の何れかの請求項記載の設定装置。
【請求項３０】
前記無線ＩＣカードの識別情報と該識別情報に対応する前記設定情報を制御サーバを介してデータベースとして記憶することを特徴とする請求項２５ないし２９の何れかの請求項記載の設定装置。
【請求項３１】
前記無線ＩＣカードの識別情報と該識別情報に対応する前記設定情報を該無線ＩＣカードの内部メモリに記憶することを特徴とする請求項２５ないし２９の何れかの請求項記載の設定装置。
【請求項３２】
電子マネー機能付き無線ＩＣカードによる決済時に、表示部に残額表示が可能な決済装置の制御プログラムであって、コンピュータを、前記無線ＩＣカードの接近を検出して電子マネーによる決済を行う決済手段、設定装置によって設定される情報であって、前記無線ＩＣカードに対応して設定された前記残額表示を非表示に制御する設定情報に基づいて、少なくとも所定の金額範囲の前記残額表示を非表示に制御する表示制御手段として機能させることを特徴とする制御プログラム。
【請求項３３】
前記設定情報は、所定の上限金額の制御情報を含み、前記表示制御手段は、前記設定情報に基づいて前記決済後の残額が前記上限金額以上の場合に前記残額表示を非表示とすることを特徴とする請求項３２記載の制御プログラム。
【請求項３４】
前記設定情報は、前記上限金額より低い下限金額の制御情報を含み、前記表示制御手段は、前記設定情報に基づいて前記決済後の残額が前記下限金額以下の場合に前記残額表示を非表示とすることを特徴とする請求項３３記載の制御プログラム。
【請求項３５】
前記設定情報は、通信装置に前記残額表示を表示するためのメール送信を行う制御情報を含み、前記コンピュータを、前記通信装置に前記決済後の残額の情報を含むメールをメール送信サーバから送信させる制御を行うメール送信制御手段として機能させることを特徴とする請求項３２ないし３４の何れかの請求項記載の制御プログラム。
【請求項３６】
前記設定装置は自動券売機であり、前記決済装置は自動改札機を構成することを特徴とする請求項３２ないし３５の何れかの請求項記載の制御プログラム。
【請求項３７】
前記設定情報は無線ＩＣカード毎にデータベースに記憶されており、前記コンピュータを、前記決済時に前記設定情報を取得する取得手段として機能させることを特徴とする請求項３２ないし３６の何れかの請求項記載の制御プログラム。
【請求項３８】
前記設定装置で設定した無線ＩＣカード毎の前記設定情報は該無線ＩＣカードに記憶されており、前記コンピュータを、前記決済時に前記無線ＩＣカードから前記設定情報を受信する受信手段として機能させることを特徴とする請求項３２ないし３６の何れかの請求項記載の制御プログラム。
【請求項３９】
電子マネー機能付き無線ＩＣカードによる決済時に、表示部に残額表示が可能であり、設定情報に基づいて少なくとも所定の金額範囲の前記残額表示を非表示に制御可能な決済装置に対する前記設定情報を設定する設定装置の制御プログラムであって、コンピュータを、前記無線ＩＣカードに対応して前記残額表示を非表示に制御する前記設定情報を設定する表示設定手段として機能させることを特徴とする制御プログラム。
【請求項４０】
前記表示設定手段は、前記決済後の残額が所定の上限金額以上の場合に前記残額表示を非表示とする制御情報を含む設定情報として設定可能であることを特徴とする請求項３９記載の制御プログラム。
【請求項４１】
前記表示設定手段は、前記決済後の残額が前記上限金額より低い下限金額以下の場合に残額表示を非表示とする制御情報を含む前記設定情報として設定可能であることを特徴とする請求項４０記載の制御プログラム。
【請求項４２】
前記表示設定手段は、メール送信サーバから通信装置に前記決算後の残額を表示するためのメール送信を行う制御情報を含む前記設定情報として設定可能であることを特徴とする請求項３９ないし４１の何れかの請求項記載の制御プログラム。
【請求項４３】
前記決済装置は自動改札機であり、設定装置は自動券売機であることを特徴とする請求項３９ないし４２の何れかの請求項記載の制御プログラム。
【請求項４４】
前記コンピュータを、前記設定情報を無線ＩＣカード毎にデータベース化する制御サーバに送信する送信手段として機能させることを特徴とする請求項３９ないし４３の何れかの請求項記載の制御プログラム。
【請求項４５】
前記コンピュータを、前記設定情報を前記無線ＩＣカードに記憶するために前記無線ＩＣカードに送信する送信手段として機能させることを特徴とする請求項３９ないし４３の何れかの請求項記載の制御プログラム。
【発明の詳細な説明】
【技術分野】
【０００１】
本発明は、決済情報の表示に関し、特に、電子マネー機能付き無線ＩＣカードの決済情報表示方法、決済情報表示システム及び制御プログラムに関する。
【背景技術】
【０００２】
Ｓｕｉｃａ（登録商標）、Ｐａｓｍｏ（登録商標）等の無線ＩＣカード等の無線ＩＣカードにおいては、使用金額の残額（チャージ残額）を利用者に的確に表示することが、残額不足などによる決済上の支障を防止し、円滑な処理に有用である。
【０００３】
この関連技術として、無線ＩＣカードにより自動改札機等を通過する際に、自動改札機上の表示部（ディスプレイ）に該無線ＩＣカードが記憶している使用金額の残額を表示するように構成した自動改札システムが知られている（特許文献１参照）。
【特許文献１】特開２００１−１１８０９５号公報
【発明の開示】
【発明が解決しようとする課題】
【０００４】
従来の自動改札システム等では、自動改札機を無線ＩＣカードにより通過する際、利用者本人の意思と関係無く、無線ＩＣカードのチャージ残額が自動改札機等の表示部に表示されるように構成されている。その為、次に自動改札機を通過する後続の旅客や隣接するレーンを利用する旅客等、第三者からも自己の無線ＩＣカードのチャージ残額が見られてしまい、防犯や個人情報の漏洩上問題がある。例えば、無線ＩＣカードのチャージ残額が多い場合には、当該残額の表示により悪意を持った第三者による強奪等、盗難の被害に遭うおそれがあるし、そこまでの被害は無いとしても、カード残額はいわば重要な個人情報であり、第三者に知られたくない情報である。
【０００５】
（目的）
本発明は、前記事情に鑑みてなされたものであり、無線ＩＣカードによる決済時に残額表示を変更可能な決済情報表示方法、決済情報表示システム及び決済表示プログラムを提供することを目的とする。
【課題を解決するための手段】
【０００６】
本発明の第１の決済情報表示方法は、電子マネー機能付き無線ＩＣカードによる決済時に、表示部に残額表示が可能な決済装置の決済情報表示方法であって、設定装置により前記無線ＩＣカードに対応して設定された残額表示を制御する設定情報に基づいて少なくとも所定の金額範囲の前記残額表示を非表示に制御することを特徴とする。
【０００７】
本発明の第１の決済情報表示システムは、電子マネー機能付き無線ＩＣカードによる決済時に、表示部に残額表示が可能であり、設定情報に基づいて少なくとも所定の金額範囲の前記残額表示を非表示とする決済装置と、前記無線ＩＣカードに対応して残額表示を非表示に制御する前記設定情報を設定可能な設定装置と、を備えることを特徴とする。
【０００８】
本発明の第１の制御サーバは、前記第１の決済情報表示システムに使用される制御サーバであって、前記設定装置から入力した無線ＩＣカードの識別情報と該無線ＩＣカードに対応して設定した前記設定情報とを関連付けて前記データベースに記憶し、前記決済装置から入力した識別情報に対応する設定情報をデータベースから読み出し前記決済装置に出力する制御を行うことを特徴とする。
【０００９】
本発明の第１のデータベースは、前記第１の制御サーバに使用されるデータベースであって、無線ＩＣカード毎の識別情報と該識別情報に対応する設定情報を関連付けて記録されたことを特徴とする。
【００１０】
本発明の第１の電子マネー機能付き無線ＩＣカードは、前記第１の決済情報表示システムに使用される無線ＩＣカードであって、無線ＩＣカードの識別情報と前記設定装置で設定した無線ＩＣカードの前記設定情報とを関連付けて内部の記憶領域に記憶し、前記決済装置への接近時に前記設定情報を前記決済装置に出力することを特徴とする。
【００１１】
本発明の第１の決済装置は、電子マネー機能付き無線ＩＣカードによる決済時に、表示部に残額表示が可能な決済装置であって、前記無線ＩＣカードの接近を検出して電子マネーによる決済を行う決済手段と、設定装置により前記無線ＩＣカードに対応して設定された前記残額表示を非表示に制御する設定情報に基づいて、少なくとも所定の金額範囲の前記残額表示を非表示に制御する表示制御手段と、を備えることを特徴とする。
【００１２】
本発明の第１の設定装置は、電子マネー機能付き無線ＩＣカードによる決済時に、表示部に残額表示が可能であり、設定情報に基づいて少なくとも所定の金額範囲の前記残額表示を非表示に制御可能な決済装置に対する前記設定情報を設定する設定装置であって、前記無線ＩＣカードに対応して残額表示を非表示に制御する前記設定情報を設定する表示設定手段を備えることを特徴とする。
【００１３】
本発明の第１の制御プログラムは、電子マネー機能付き無線ＩＣカードによる決済時に、表示部に残額表示が可能な決済装置の制御プログラムであって、コンピュータを、前記無線ＩＣカードの接近を検出して電子マネーによる決済を行う決済手段、設定装置によって設定される情報であって、前記無線ＩＣカードに対応して設定された前記残額表示を非表示に制御する設定情報に基づいて、少なくとも所定の金額範囲の前記残額表示を非表示に制御する表示制御手段として機能させることを特徴とする。
【００１４】
本発明の第１の制御プログラムは、電子マネー機能付き無線ＩＣカードによる決済時に、表示部に残額表示が可能であり、設定情報に基づいて少なくとも所定の金額範囲の前記残額表示を非表示に制御可能な決済装置に対する前記設定情報を設定する設定装置の制御プログラムであって、コンピュータを、前記無線ＩＣカードに対応して前記残額表示を非表示に制御する前記設定情報を設定する表示設定手段として機能させることを特徴とする。
【発明の効果】
【００１５】
本発明によれば、無線ＩＣカードによる決済時に、個人情報である無線ＩＣカードのチャージ残額が無条件に表示され、第三者に見られることを防止できる。
【発明を実施するための最良の形態】
【００１６】
（第１の実施形態）
本発明の決済情報表示方法、決済情報表示システム、決済装置、設定装置、制御サーバ、データベース、電子マネー機能付き無線ＩＣカード及び制御プログラムの一実施形態として交通機関の乗車駅等の自動改札システムへの適用例により以下詳細に説明する。
【００１７】
（構成の説明）
図１は本発明の第１の実施形態の自動改札システムのシステム構成概要を示す図である。
【００１８】
本実施形態は、駅構内等に設置された自動改札機１及び自動券売機３と、ユーザーが所有するＳＦ（Stored Fare：ストアードフェア）機能（無線ＩＣカードに記録される金銭的価値であり、旅客運賃の支払い、乗車券との引き換え電子マネーに充当する機能）付き無線ＩＣカード等、電子マネー機能付き無線ＩＣカード（「無線ＩＣカード」ともいう。）２と、データセンタに設置された制御サーバ４及びデータベース（Ｄ．Ｂ．）５と、から構成されている。各部の機能、構成は以下のとおりである。
【００１９】
自動改札機１は、乗客の入出場ゲートを有する自動改札機本体の上面に設けられたリーダ／ライタ等の本体アンテナ部（アンテナ部）１１、表示部１２及び内蔵する改札制御部１３を備える。アンテナ部１１は、旅客が自動改札機を通過する際にタッチするＳＦ機能付き無線ＩＣカード及び他の無線ＩＣカードから無線信号を受信するアンテナである。表示部１２はＳＦ機能付き無線ＩＣカード及び他の無線ＩＣカードを使用して自動改札機を通過する際に旅客にメッセージを表示する表示画面を表示窓に備える表示部である。
【００２０】
改札制御部１３は、無線ＩＣカード及びＳＦ機能付き無線ＩＣカードの接近を検出し、記憶されているチャージ残額から運賃を減算する決済の演算と、演算結果により入出場ゲートを開閉する制御と、チャージ残額を表示部に表示する制御と、を行う機能等を有し、自動入出場処理を行う制御機能を有する。
【００２１】
図２は自動改札機１の機能、構成を示す図であり、同図（ａ）は機能ブロック、同図（ｂ）は装置構成である。自動改札機１は、接近する無線ＩＣカード２との無線通信により、当該無線ＩＣカードの識別子（ＩＤ）等の固有の識別情報及びチャージ残額を受信し、初乗り乗車料等、所定額の減算後の残額を書替えのために無線ＩＣカード２に送信する送受信／残額書替手段１ａ、無線ＩＣカード２から受信したチャージ残額から前記所定額を減算する決済手段１ｂ、前記識別情報に基づいて制御サーバ４から残額表示の表示／非表示等に関する設定情報を取り込む設定情報の取得手段１ｃ、取り込んだ設定情報に従って表示部１２に対する残額表示を表示又は非表示に制御する残額の表示制御手段１ｄ、前記減算結果に基づいて入出場ゲートの開閉を制御するゲート開閉制御手段１ｅを備える。
【００２２】
自動改札機１の構成例としては、図２（ｂ）に示すように、アンテナ部１１と表示部１２と改札制御部１３からなり、改札制御部１３は、バスを介して接続され、コンピュータを構成するＣＰＵ（中央処理装置）１３ａ、ＲＯＭ（Read Only Memory）１３ｂ、ＲＡＭ（Random Access Memory）１３ｃ、アンテナ部１１で送受信する無線信号の変復調及びデータ入出力処理を行う入出力部１３ｄ及びネットワークを介して制御サーバ４と接続するインタフェース部１３ｅ、入出場ゲートを制御するゲート制御部１３ｆから構成される。
【００２３】
ここでＲＯＭ１３ｂには前記機能を実現する制御プログラムが格納されており、ＣＰＵ１３ａはＲＯＭ１３ｂの制御プログラムを読み込み、読み込んだ制御プログラムにより制御される。ＣＰＵ１３ａは制御プログラムにより各部を制御し、ＲＡＭ１３ｃ等に格納された無線ＩＣカード固有の識別情報、設定情報及びチャージ残額に基づいて図２（ａ）に示す機能及び後述の動作を実行する。
【００２４】
ＳＦ機能付き無線ＩＣカード２は、カード型乗車券であり具体的にはＳｕｉｃａ（登録商標）やＰａｓｍｏ（登録商標）等がこれに該当する。
【００２５】
図３は無線ＩＣカード２の機能、構成を示す図であり、同図（ａ）は機能ブロック、同図（ｂ）は装置構成である。無線ＩＣカード２は、同図（ａ）に示すように後述する自動券売機３との間で、電子マネーをチャージする等の既存処理手段２ｃに加えて、自動改札機１のアンテナ部１１への接近時に記憶している識別情報及びチャージ残額を無線信号により自動改札機１に送信し、送信したチャージ残額から前記所定額を減算したチャージ残額のデータを自動改札機１から受信し、チャージ残額を新たなチャージ残額に書換える送受信／残額書替手段２ａ、残高データ及び識別情報を記憶する残高データ及び識別情報の記憶手段２ｂを備える。
【００２６】
無線ＩＣカード２の構成例としては、図３（ｂ）に示すように、アンテナ部２１と制御部２２からなり、制御部２２はコンピュータを構成するＣＰＵ（中央処理装置）２２ａ、ＲＯＭ２２ｂ、ＦＲＡＭ（登録商標）（Ferro electric RAM）やＭＲＡＭ（Magnetic RAM）等、不揮発性等のＲＡＭ２２ｃ及びアンテナ部２１で送受信する無線信号の変復調及びデータの入出力処理を行う入出力部２２ｄから構成される。
【００２７】
ここでＲＯＭ２２ｂには前記機能を実現する制御プログラムが格納されており、ＣＰＵ２１ａはＲＯＭ２２ｂの制御プログラムを読み込み、読み込んだ制御プログラムにより制御される。ＣＰＵ２２ａは前記制御プログラムにより各部を制御し、ＲＡＭ２２ｃ等に格納された無線ＩＣカード２に固有の識別情報及びチャージ残額に基づいて図３（ａ）に示す機能及び後述の動作を実行する。
【００２８】
自動券売機３は、旅客が自動券売機を使用する際に操作を行う為の画面を表示し、表示されたＧＵＩ（Graphical User Interface）をタッチすることにより自動券売機３の操作を行うタッチパネル３１を備え、普通乗車券、回数券、定期券等の乗車券の発売、無線ＩＣカード２に対する電子マネーのチャージ、利用履歴の印字、チャージ残額の表示方法変更等を行う処理等の制御機能を有する。
【００２９】
図４は自動券売機３の機能、構成を示す図であり、図４（ａ）は機能ブロック、同図（ｂ）は装置構成である。自動券売機３は、無線ＩＣカード２の挿入により、無線ＩＣカード２への電子マネーのチャージ等の既存処理手段３ａに加えて、当該無線ＩＣカード２を用いた自動改札機１の通過時に、所定額の減算後の残額のデータを自動改札機１の表示部１２に表示するか否かの設定情報を該識別情報に対応して設定する表示設定手段３ｂ及び設定情報をデータベース５に記憶するために制御サーバ４に送信する送信手段３ｃを備える。
【００３０】
自動券売機３の構成例としては、図４（ｂ）に示すように、表示部（タッチパネル）３１と制御部３２からなり、制御部３２はコンピュータを構成するＣＰＵ（中央処理装置）３２ａ、ＲＯＭ３２ｂ、ＲＡＭ３２ｃ及びネットワークを介して制御サーバ４と接続するインタフェース部３２ｄから構成される。
【００３１】
ここでＲＯＭ３２ｂには前記機能を実現する制御プログラムが格納されており、ＣＰＵ３２ａはＲＯＭ３２ｂの制御プログラムを読み込み、読み込んだ制御プログラムにより制御され、ＣＰＵ３２ａは前記制御プログラムにより各部を制御し、ＲＡＭ３２ｃ等に格納された無線ＩＣカード２に固有の識別情報及びチャージ残額に基づいて図４（ａ）に示す機能及び後述の動作を実行する。
【００３２】
制御サーバ４は、自動改札機１、自動券売機３で扱う無線ＩＣカード２に関する設定情報等を送受信してデータベース５に蓄積、管理するデータ管理機能を有し、データベース５は無線ＩＣカード毎に設定情報等を記憶する。
【００３３】
図５は制御サーバ４の構成を示す図であり、同図（ａ）は機能ブロック、同図（ｂ）は装置構成である。制御サーバ４は、図５（ａ）に示すように無線ＩＣカード２毎にチャージ残額の表示の表示、非表示（可否）等を設定した設定情報を無線ＩＣカード２の識別情報とともに自動券売機３から受信し、自動改札機１から要求された識別情報の設定情報を自動改札機１に送信する送受信手段４ａ、受信した識別情報毎の設定情報をデータベース５に記憶し、識別情報毎に要求された設定情報をデータベース５から読み取る設定情報記憶／読取手段４ｂを備える。
【００３４】
制御サーバ４の構成例としては、図５（ｂ）に示すように、制御部４１としてコンピュータを構成するＣＰＵ（中央処理装置）４１ａ、ＲＯＭ４１ｂ、ＲＡＭ４１ｃ及びネットワークと接続するインタフェース部４１ｄから構成される。
【００３５】
ここでＲＯＭ４１ｂには前記機能を実現する制御プログラムが格納されており、ＣＰＵ４１ａはＲＯＭ４１ｂの制御プログラムを読み込み、読み込んだ制御プログラムにより制御され、ＣＰＵ４１ａは前記制御プログラムにより各部を制御する。これによりＣＰＵ４１ａは無線ＩＣカード２に固有の識別情報とその設定情報を自動券売機３から受信してデータベース５に記憶し、自動改札機１からの識別情報による取得要求を受信し、データベース５から該設定情報を読み出し自動改札機１に送信する、図５（ａ）に示す前記機能及び後述の動作を実行する。
【００３６】
データベース５は同図（ｃ）に示すように、識別情報と設定情報を関連付け記憶された表示、非表示の制御情報（「０」、「１」）であり、制御サーバ４により識別情報から設定情報を参照可能にその内部又は外部のハードディスクやメモリ等に記憶され、管理される。
【００３７】
（動作の説明）
次に、第１の実施形態の自動改札システムの処理動作について説明する。
【００３８】
最初に無線ＩＣカード２の使用時に自動改札機１の表示部にチャージ残額を表示するか否かの表示、非表示の設定情報の設定動作について説明する。
【００３９】
図６は第１の実施形態の自動券売機での無線ＩＣカードの表示設定に関する処理フローチャートを示す図であり、図７〜９は自動券売機のタッチパネルの表示画面を示す図である。図６に示す処理動作について前記表示画面を参照して詳細に説明する。
【００４０】
［チャージ残額の表示、非表示の設定処理］
旅客が自動券売機３に無線ＩＣカード２を挿入すると（ステップＳ１０１）、自動券売機３はタッチパネル３１に図７に示すメニューからなる処理選択画面を表示する（ステップＳ１０２）。旅客は自動券売機のタッチパネル３１で“きっぷ購入”、“チャージ”、“利用履歴の印字”、“チャージ残額の表示方法変更Ａ”の何れかが選択可能である。
【００４１】
いま、旅客がタッチパネル３１の“チャージ残額の表示方法変更Ａ”を選択したとすると（ステップＳ１０３、ＹＥＳ）、自動券売機３はタッチパネル３１に図８に示すチャージ残額の表示を“行う”又は“行わない”の表示又は非表示の選択画面を表示する（ステップＳ１０４）。
【００４２】
旅客が図８に示す選択画面で、チャージ残額の表示を“行う”を選択し、決定ボタンを選択した場合（ステップＳ１０５、ＹＥＳ）、自動券売機３はチャージ残額を表示（通知）とする設定を行うとともに（ステップＳ１０６）、タッチパネル３１に図９（ａ）に示す設定確認画面を表示する（ステップＳ１０８）。また、旅客が図８に示す選択画面で、チャージ残額の表示を“行わない”を選択し、決定ボタンを選択した場合（ステップＳ１０５、ＮＯ）、自動券売機３はチャージ残額を非表示（非通知）とする設定を行い（ステップＳ１０７）、タッチパネル３１に図９（ｂ）に示す確認画面を表示する（ステップＳ１０８）。
【００４３】
図８に示す選択画面で何れを選択した場合も図９に示す確認画面のタッチパネル３１で設定の内容を確認でき、旅客は正しいとして“はい”、間違いとして“いいえ”の何れかを選択して確認する（ステップＳ１０９）。
【００４４】
旅客が図９に示す確認画面で“はい”を選択して設定を確認した場合、自動券売機３は設定内容を設定情報としてデータセンタ等の制御サーバ４に送信し、制御サーバ４はデータベース５に登録し（ステップＳ１１０）、自動券売機３は無線ＩＣカード２を旅客に返却する（Ｓ１１６）。また、旅客が図９に示す確認画面で“いいえ”を選択した場合、自動券売機３はタッチパネル３１に再入力するか否かの問い合わせ画面（図示しない）を表示し（ステップＳ１１１）、旅客が再入力を選択した場合、ステップＳ１０４に戻り、前記処理ステップＳ１０４〜Ｓ１１１の処理を繰り返す。また、ステップＳ１１１で再入力を選択しない場合、自動券売機３は無線ＩＣカード２を旅客に返却する（ステップＳ１１６）。
【００４５】
［既存処理］
また、ステップＳ１０２における図７に示す選択画面で、チャージ残額の表示方法変更Ａ以外の既存処理の何れかのボタンを選択した場合（ステップＳ１０３、ＮＯ）、つまり、きっぷ購入の選択（ステップＳ１１２）、無線ＩＣカードのチャージの選択（ステップＳ１１３）及び利用履歴の印字の選択（ステップＳ１１４）に対しては、自動券売機３はそれぞれの選択に応じて、きっぷ発売、無線ＩＣカード２への電子マネーの補充及び無線ＩＣカード２の利用履歴の印字の各処理動作を実行し（ステップＳ１１５）、無線ＩＣカード２を旅客に返却する（ステップＳ１１６）。また、ステップＳ１１２〜１１４で何れの選択もしない場合は、自動券売機３は、例えば所定時間後に無線ＩＣカード７を旅客に返却する（ステップＳ１１６）。なお、既存処理については知られている処理であるから詳細な説明は省略する。
【００４６】
次に、第１の実施形態による無線ＩＣカード２を使用した自動改札機１でのチャージ残額の表示、非表示の動作について詳細に説明する。
【００４７】
図１０は第１の実施形態のチャージ残額の表示、非表示の動作の処理フローチャートを示す図である。以下、自動改札機１の表示部１２へのチャージ残額の表示制御について説明する。
【００４８】
旅客が無線ＩＣカード２を自動改札機１のアンテナ部１１にかざして進むと（ステップＳ１２１）、自動改札機１は無線ＩＣカード２の接近を検出して、無線ＩＣカード２から識別情報及びチャージ金額（残額）を受信し、該チャージ残額から初乗り運賃等の所定額を減算する演算を行い（ステップＳ１２２）、前記識別情報により制御サーバ４からデータベース５のチャージ残額の表示に関する設定情報を読み込み（ステップＳ１２３）、読み込んだ設定情報に基づいて、減算後のチャージ残額を自動改札機１の表示部１２に表示するか否かを判断する（ステップＳ１２４）。
【００４９】
自動改札機１は、設定情報がチャージ残額の表示の情報の場合は（ステップＳ１２４、ＹＥＳ）、表示部１２にチャージ残額を表示する制御を行い（ステップＳ１２５）、また、設定情報がチャージ残額の非表示の情報の場合は（ステップＳ１２４、ＮＯ）、表示部１２にチャージ残額を表示しない制御を行う。
【００５０】
以上のように前述の関連技術では自動改札機においてチャージ残額が無条件で表示されているのに対し、本実施形態によれば旅客側で自動改札機の表示部に残額の表示を行う、残額の表示を行わない等、予め前記無線ＩＣカードに対応して設定された残額表示を制御する設定情報に基づいて、少なくとも所定の金額範囲（一部金額範囲又は全金額範囲）の決算後の残額表示を非表示とする。即ち、残額表示の全金額範囲の非表示及び所定の金額範囲の非表示に制御することが可能である。これにより、個人情報である無線ＩＣカードのチャージ残額が無条件に表示されることがなくなり、高額なチャージ残額の無線ＩＣカードに関して犯罪に巻き込まれる可能性を低減することが期待できる。
【００５１】
（第２の実施形態）
第１の実施形態では、無線ＩＣカード２を自動改札機１で使用した場合、自動改札機１の表示部のチャージ残額の表示、非表示の何れかを設定可能とするものであるが、更に、表示設定時に表示する残額範囲に条件を付けたり、メールによりユーザーの携帯電話機に個人的に表示（通知）するように構成すると個人情報を保護しつつユーザーにチャージ残額を表示でき、利便性をも高めることができる。
【００５２】
図１１は本発明の第２の実施形態の自動改札システムのシステム構成概要を示す図である。本実施形態の自動改札システムは、第１の実施形態と同様に、駅構内等に設置された自動改札機１及び自動券売機３、無線ＩＣカード２、データセンタ等に設置された制御サーバ４及びデータベース５に加えて、ユーザー所有の携帯電話機７にメール送信を行うデータセンタ等に設置されたメール送信サーバ６を備える。
【００５３】
第２の実施形態では、自動券売機３において、無線ＩＣカードに対応する設定情報の設定項目に残額表示を行う残額範囲に条件設定が可能な機能を追加し、更に自動改札機３の残額表示が非表示の場合等に、携帯電話機７にチャージ残額を表示するためにメール送信する設定を可能とする機能を追加する。本実施形態の自動券売機３、自動改札機１及びメール送信サーバ６の機能概要は以下のとおりである。
【００５４】
自動券売機３には、タッチパネル３１のＧＵＩ画面にメニュー“チャージ残額の表示方法変更／金額設定Ｂ”を設けて、チャージ残額を表示／非表示とする金額範囲を設定可能とする。更にチャージ残額の表示先が自動改札機１と携帯電話機７の何れかを設定可能とする。
【００５５】
図１２は第２の実施形態の自動改札機１の機能ブロック及びデータベースの内容を示す図である。本実施形態では図１２（ａ）に示すように、送受信／残額書替手段１ａ、決済手段１ｂの機能は第１の実施形態と同様であるが、表示先が自動改札機１か携帯電話機７（メール送信）かの情報、チャージ残額の表示範囲の上限及び下限等の情報を含むデータベース５の設定情報を制御サーバ４から読み込むための設定情報の取得手段１ｅと、前記設定情報に基づき表示先が自動改札機１であり、チャージ残額が設定された表示範囲である場合にチャージ残額を表示部１２に表示する残額の表示制御手段１ｆと、前記設定情報に基づき表示先が携帯電話機７（メール送信）であり、チャージ残額が設定された表示範囲である場合にチャージ残額をメール送信するようにメール送信サーバ６に通知するメール送信制御手段１ｇと、を備える。
【００５６】
また、制御サーバ４は、基本的に図５（ａ）に示す機能ブロック構成で実現可能である。つまり、制御サーバ４の設定情報の送受信手段４ａは自動券売機３で設定した設定情報を受信し、設定情報記憶／読取手段４ｂは受信した前記設定情報をデータベース５に記憶するとともに、自動改札機１からの要求により該当する設定情報をデータベース５から読み取り、設定情報の送受信手段４ａは自動改札機１に前記設定情報を送信する。自動改札機１は、携帯電話機７にチャージ残額の情報をメール送信する場合に送信先のメールアドレスを含む前記設定情報をメール送信サーバ６に送信し、メール送信サーバ６を制御する。
【００５７】
データベース５は、図１２（ｂ）に示すテーブルのように、無線ＩＣカード２の識別子（ＩＤ）等の識別情報と制御情報（制御データ）を含む設定情報とを関連付けたデータベースである。前記設定情報には、表示又は非表示の何れかを特定する制御情報（制御データ「１」、「０」）、表示する場合の表示対象の自動改札機又は携帯電話機の何れかを特定する制御情報（制御データ「１」、「０」）、非表示とする範囲を指定する上限金額、下限金額及びメール送信の場合の携帯電話機７のメールアドレス等を含んでいる。前記データベース５は制御サーバ４のハードディスク等に構築される。
【００５８】
図１２（ｂ）に示す設定情報では、識別情報１の無線ＩＣカードの設定情報に自動改札機１に全てのチャージ残額を表示する情報を含む。識別情報２の同設定情報には、自動改札機１及び携帯電話機７の何れも非表示とする情報を含む。識別情報３の同設定情報には、自動改札機１が１，０００〜３，０００円の範囲の場合のチャージ残額を表示する情報を含む。識別情報４の同設定情報には、メール送信により携帯電話機７が全てのチャージ残額を表示する情報を含む。識別情報５の同設定情報には、携帯電話機７が０〜５，０００円の範囲の場合のチャージ残額を表示する情報を含む。
【００５９】
本設定情報の例では表示／非表示と金額範囲、自動改札機／携帯電話機とメールアドレスの間に冗長性を有するものの、設定情報の一部を入力又は変更することにより既に設定した情報を有効に利用できる利点がある。
【００６０】
メール送信サーバ６は、自動改札機１において設定情報に基づき残額表示の金額範囲や携帯電話機へのメール送信の条件を満たす場合に、自動改札機１からメール送信の制御を受けて、設定情報内のメールアドレスによりチャージ残額のデータを旅客の携帯電話機７にメールで送信するサーバである。
【００６１】
携帯電話機７は無線ＩＣカード２のチャージ残額のデータをメールで通知を受けた場合に、メールブラウザ等のアプリケーションにより受信メール内の前記データをチャージ残額として携帯電話機７の表示部に表示させる受信メールの表示機能を備える。
【００６２】
次に、第２の実施形態の自動改札システムの処理動作について説明する。  
図１３は第２の実施形態の自動券売機での無線ＩＣカードの表示設定に関する処理フローチャートを示す図であり、図８、図１４〜図１８は自動券売機のタッチパネルの表示画面を示す図である。図１３に示す処理動作について前記表示画面を参照して詳細に説明する。
【００６３】
［チャージ残額表示方法／金額設定処理］
旅客が自動券売機３に無線ＩＣカード２を挿入すると（ステップＳ２０１）、自動券売機３はタッチパネル３１に図１４に示すメニューの処理選択画面を表示する（ステップＳ２０２）。旅客は自動券売機３のタッチパネル３１で“きっぷ購入”、“チャージ”、“利用履歴の印字”、“チャージ残額の表示方法変更／金額設定Ｂ”の何れかの選択が可能である。
【００６４】
旅客がタッチパネル３１の“チャージ残額の表示方法変更／金額設定Ｂ”を選択したとすると（ステップＳ２０３、ＹＥＳ）、自動券売機３はタッチパネル３１に図８に示すチャージ残額の表示を“行う”又は“行わない”の残額表示の表示、非表示を設定する選択画面を表示する（ステップＳ２０４）。
【００６５】
旅客が図８に示す選択画面で、チャージ残額の表示を“行う”を選択し、決定ボタンを選択した場合（ステップＳ２０５、ＹＥＳ）、自動券売機３はチャージ残額を表示（通知）とする設定を行い（ステップＳ２０６）、タッチパネル３１にチャージ残額を表示する金額条件に関し、図１５に示す金額範囲の設定画面を表示する（ステップＳ２０８）。同画面には残額表示の上限と下限の入力が可能であり、表示されたアラビア数字を順次選択することにより、上限又は下限の何れか又は両方を設定可能である。
【００６６】
ここで旅客が、例えば下限の金額０円の数字を入力し決定ボタンを選択すると、自動券売機３はチャージ残額の表示（通知）先として、“自動改札機”又は“携帯電話機”（メール送信）の何れかが設定可能な図１６に示す選択画面を表示する（ステップＳ２０９）。
【００６７】
図１６に示す選択画面で、旅客が表示先に“携帯電話機”を選択し、決定ボタンを選択した場合は（ステップＳ２１０、ＮＯ）、自動券売機３はタッチパネル３１に図１７に示す旅客の携帯電話機７のメールアドレスを入力する設定画面を表示し（ステップＳ２１１）、旅客が自携帯電話機７のメールアドレスを入力し、決定ボタンを選択した場合、自動券売機３は図８、１５、１６、１７で設定した設定内容を旅客に確認させるため、タッチパネル３１に図１８（ａ）に示す確認画面を表示する（ステップＳ２１２）。なお、メールアドレスを入力せず取り消しボタンを選択した場合は、ステップＳ２０９の表示方法の選択画面に戻る（図示しない）処理フローとすることができる。
【００６８】
また、ステップＳ２１０で、旅客が“自動改札機”を選択した場合（ステップＳ２１０、ＹＥＳ）、ステップ２１２の設定内容の表示は、図１８（ａ）に示す確認画面で、表示欄は「自動改札機」となりメールアドレス欄は空白となる。この設定により自動改札機１への通常のチャージ残額の表示設定となる。また、ステップＳ２０８の金額範囲に設定で、旅客が例えば上限３０００円、下限１０００円の金額の数字を入力し決定ボタンを選択し、ステップＳ２１０で自動改札機を選択した場合は、自動券売機３はタッチパネル３１に図１８（ｂ）に示す確認画面を表示する（ステップＳ２１２）。
【００６９】
更に、旅客がステップＳ２０５で、図８に示す選択画面のチャージ残額の表示を“行わない”を選択し、決定ボタンを選択した場合（ステップＳ２０５、ＮＯ）、自動券売機３はチャージ残額を非表示（非通知）とする設定を行い（ステップＳ２０７）、タッチパネル３１に図１８に示す確認画面で、チャージ残額の表示欄に「行わない」旨だけが表示される（ステップＳ２１２）。以上のステップＳ２０８〜Ｓ２１１までの金額及び表示対象の組み合わせは旅客により任意に設定可能である。
【００７０】
旅客はタッチパネル３１の自己の設定内容を設定確認画面で確認し、正しい場合“はい”を、間違いの場合“いいえ”を選択して確認する（ステップＳ２１３）。
【００７１】
旅客が例えば図１８に示す確認画面で“はい”を選択した場合（ステップＳ２１３、ＹＥＳ）、自動券売機３は設定内容を設定情報としてデータセンタ等のデータベース５に登録し（ステップＳ２１４）、自動券売機３は無線ＩＣカード２を旅客に返却する（Ｓ２１６）。また、旅客が図１８の確認画面で“いいえ”を選択した場合（ステップＳ２１３、ＮＯ）、自動券売機３はタッチパネル３１に再入力するか否かの（図示しない）問い合わせ画面を表示し（ステップＳ２１５）、旅客が再入力を選択した場合（ステップＳ２１５、ＹＥＳ）、ステップＳ２０４に戻り前記処理ステップＳ２０４〜Ｓ２１５の処理を繰り返す。また、ステップＳ２１５で再入力しないを選択した場合（ステップＳ２１５、ＮＯ）、自動券売機３は無線ＩＣカード２を旅客に返却する（Ｓ２１６）。
【００７２】
［既存処理］
また、ステップＳ２０２の図１４に示す選択画面で、“チャージ残額の表示方法変更／金額設定Ｂ”以外の既存処理のボタンを選択した場合は（ステップＳ２０３、ＮＯ）、第１の実施形態の処理フローチャートのステップＳ１１２〜Ｓ１１５と同様の処理となる。
【００７３】
つまり、きっぷ購入の選択、無線ＩＣカードのチャージの選択及び利用履歴の印字の選択のそれぞれに対応して自動券売機３はきっぷ発売、無線ＩＣカードへの電子マネーの補充及び無線ＩＣカードの利用履歴の印字の各処理動作を実行し（ステップＳ２１７）、何れの選択もない場合を含めて自動券売機３は無線ＩＣカード２を旅客に返却する（ステップＳ２１６）。
【００７４】
次に、第２の実施形態による無線ＩＣカードを使用した自動改札機でのチャージ残額の表示、非表示、携帯電話機でのメール送信による表示、非表示の動作について詳細に説明する
【００７５】
［チャージ残額表示処理］
図１９は第２の実施形態のチャージ残額の表示、非表示の動作の処理フローチャートを示す図である。以下、自動券売機３又は携帯電話機７へのチャージ残額の表示制御について説明する。
【００７６】
旅客が無線ＩＣカードを自動改札機１にかざして通過すると（ステップＳ２２１）、自動改札機１は無線ＩＣカード２のチャージ金額（残額）から利用運賃を減算する決済を行い（ステップＳ２２２）、制御サーバ４からデータベース５のチャージ残額表示方法、金額（範囲）、メールアドレスを含む設定情報を読み込み（ステップＳ２２３）、読み込んだ設定情報に基づいて、まず無線ＩＣカードのチャージ残額は金額（範囲）内か否かを判断する（ステップＳ２２４）。
【００７７】
無線ＩＣカード２のチャージ残額が設定情報の金額（範囲）内の場合は（ステップＳ２２４、ＹＥＳ）、自動改札機１は表示先が自動改札機１か携帯電話機７（メール送信）かを判断し（ステップＳ２２５）、自動改札機１の場合は（ステップＳ２２５、ＹＥＳ）、自動改札機１の表示部１２にチャージ残額を表示する（ステップＳ２２６）。
【００７８】
また、ステップＳ２２５で表示先が携帯電話機７（メール送信）の場合は（ステップＳ２２５、ＮＯ）、自動改札機１はチャージ残額と設定情報のメールアドレスをメール送信サーバ６に送信し、携帯電話機７にチャージ残額を表示するメール送信を指示し、メール送信サーバ６は前記指示を受け前記メールアドレスにメールを送信する（ステップＳ２２７）。
【００７９】
以上により、旅客は無線ＩＣカードで自動改札機を通過時に表示部に表示されるチャージ残額を設定により停止させること、また、表示先の携帯電話機にメール送信により表示すること等を選択することが可能となる。また、表示する金額に上限、下限を設けること、つまり残額表示を制御する設定情報に基づいて、少なくとも所定の金額範囲の決算後の残額表示を非表示とすることが可能である。従って、チャージ金額が明らかに多く残っている又はチャージしていないと旅客側で分かっており、表示する必要が無いと旅客自身が判断する場合、表示させないように設定することが可能である。
【００８０】
前述の関連技術では旅客の意思に関係無く一方的に残額が表示されていたが、本実施形態では無線ＩＣカードのチャージ残額を旅客の選択により自動改札機へ表示するだけでなく、残額表示を行わない、携帯電話機にメール送信する等の選択が可能である。これにより、自動改札機を通過する度にチャージ残額が表示されない様に設定できるから旅客はチャージ残額を第三者に見られる心配も無くなる。
【００８１】
また、旅客により表示したい金額が異なることから、残額の表示金額範囲を旅客自身が自動券売機から設定することが可能であり、表示する下限金額の設定により小額の残額表示を行いたくない旅客や元々チャージをしていない旅客に対して表示を一切しないような設定とすることも可能である。
【００８２】
また、携帯電話機の着メロやバイブレータを利用することにより携帯電話機がポケットやバッグ等に入っている場合でも残額が設定値を下回った際などに旅客はその鳴動により、その状況を知る事が可能となる。
【００８３】
（第３の実施形態）
本発明の第２の実施形態では自動改札機又は携帯電話機へチャージ残額を表示する設定例を示したが、本発明はチャージ残額等を自動改札機１及び携帯電話機７の何れにも表示可能とすることができる。この動作は自動改札機及び携帯電話機の何れにも表示金額範囲を個別に設定可能に構成することで実現できる。
【００８４】
図２０は第３の実施形態の自動券売機３における処理フローチャートを示す図である。第２の実施形態の図１３の処理フローチャートのステップＳ２０６〜Ｓ２１２を変更し、図２０のステップＳ３０１〜Ｓ３０４の処理構成としたものである。従って、図２０のＳ２０３〜Ｓ２０５、Ｓ２０７、Ｓ２１３〜Ｓ２１６等は図１２の動作説明と同様である。自動改札機１、無線ＩＣカード２、自動券売機３、制御サーバ等の機能及び装置構成は基本的に第２の実施形態と同様である。
【００８５】
第３の実施形態では、図８に示す設定画面で表示する旨の設定後（ステップＳ２０４、ステップＳ２０５、ＹＥＳ）、自動券売機３はステップＳ３０１で図１５に示す設定画面を表示し、自動改札機１の表示に対する金額範囲Ｘの設定を可能とし、更にステップＳ３０２で、再度、図１５に示す設定画面を表示し、携帯電話機７の表示に対する金額範囲Ｙの設定を可能とする。携帯電話機の金額範囲の設定後に、図１７に示すメールアドレス設定の設定画面を表示してメールアドレスの入力を可能とする（ステップＳ３０３）。
【００８６】
そして、ステップＳ３０４の設定内容の表示では、表示設定の場合には図１８（ａ）、（ｂ）に示すような確認画面を同時又は順次表示し、旅客の設定確認を可能とする（ステップＳ２１３）、以下、第２の実施形態と同様の処理が行なわれる。
【００８７】
本実施形態では自動改札機、携帯電話機の各金額範囲の入力により２つの金額範囲の設定額の情報を有する図１２（ｃ）に示すような設定情報が設定される。
【００８８】
図２１は本実施形態のチャージ残額の表示、非表示の動作の処理フローチャートを示す図である。第２の実施形態の図１９の処理フローチャートのステップＳ２２３〜Ｓ２２７を変更し、図２１に示すステップＳ４０１〜Ｓ４０５の処理構成としたものである。従って、図２１に示すＳ２２１〜Ｓ２２２は図１９に関する動作説明と同様である。
【００８９】
第３の実施形態では、旅客が無線ＩＣカードを自動改札機１にかざして通過すると（ステップＳ２２１）、自動改札機１は無線ＩＣカード２のチャージ金額（残額）から利用運賃を減算する決済を行い（ステップＳ２２２）、制御サーバ４からデータベース５のチャージ残額表示方法、金額範囲の設定額Ｘ、Ｙ、メールアドレスを含む設定情報を読み込み（ステップＳ４０１）、読み込んだ設定情報に基づいて、チャージ残額が２つの設定額の金額の範囲内か否かを判断して以下の表示の制御が行われる。
【００９０】
つまり、自動改札機１は、無線ＩＣカード２のチャージ残額が自動改札機１に関する設定情報の設定額Ｘの範囲内か否かを判断し（ステップＳ４０２）、設定額Ｘの範囲内の場合にのみ（ステップＳ４０２、ＹＥＳ）、自動改札機１の表示部１２にチャージ残額を表示する（ステップＳ４０３）。次にチャージ残額が携帯電話機７に関する設定情報の設定額Ｙの範囲内か否かを判断し（ステップＳ４０４）、設定額の範囲内の場合にのみ（ステップＳ４０４、ＹＥＳ）、チャージ残額と設定情報のメールアドレスをメール送信サーバ６に送信する（ステップＳ４０５）。
【００９１】
（第４の実施形態）
以上の実施形態では、自動券売機３による無線ＩＣカード毎の設定情報をデータセンタ等にデータベースとして蓄積、管理し、無線ＩＣカードのチャージ残額の減算時に自動改札機から該データベースにアクセスする構成例を示したが、設定情報をデータべース化する代わりに、無線ＩＣカード毎に、その内部に記憶し、記憶した設定情報を自動改札機の通過時に自動改札機に送信するように構成することが可能である。
【００９２】
図２２は本発明の第４の実施形態のシステム構成を示す図である。自動改札機１、無線ＩＣカード２及び自動券売機３から構成され、無線ＩＣカード２の不揮発性ＲＡＭ等に、無線ＩＣカードのチャージ残額と前記設定情報を記憶する。
【００９３】
図２３は自動改札機１、無線ＩＣカード２及び自動券売機３の機能ブロックを示す図である。自動改札機１は、図２３（ａ）に示すように無線ＩＣカード２に対するチャージ残額等の送受信と書替えを行う送受信／残額書替手段１ａ、受信したチャージ残額から所定額を減算する決済手段１ｂに加え、無線ＩＣカード２から設定情報を取得する設定情報取得手段１ｆと、設定情報に従って減算後のチャージ残額を表示部１２へ表示又は非表示とする制御を行う残額の表示制御手段１ｇと、を備える。
【００９４】
無線ＩＣカード２は、図２３（ｂ）に示すように以上の実施形態と同様に自動改札機１に対するチャージ残額等の送受信と書替えを行う送受信／残額書替手段２ａ、電子マネーのチャージ等の既存処理手段２ｃに加え、残額データ及び識別情報、設定情報の記憶、読み出しを行う残額データ及び設定情報等の記憶手段２ｄを備える。
【００９５】
自動券売機３は、図２３（ｃ）に示すように、電子マネーのチャージ等の既存処理手段３ａ、設定情報を設定する表示設定手段３ｂに加え、制御サーバ４に代えて無線ＩＣカード２に対して設定情報を送信する設定情報の送信手段３ｄを備える。
【００９６】
第４の実施形態の自動改札機１、無線ＩＣカード２及び自動券売機３の装置構成は、図２〜４に示す構成と同様であり、それぞれの各手段は、それぞれコンピュータの制御プログラムにより実現される。
【００９７】
本実施形態では、無線ＩＣカード２に設定情報として、第１の実施形態と同様な表示又は非表示の情報、第２、３の実施形態と同様な表示するチャージ残額の上限、下限、表示先等を含む情報が記憶可能である。また更に、第２、３の実施形態と同様なメール送信の設定及びメールアドレスの情報の設定も可能であり、この場合は図２２に示すシステムにメール送信サーバ等が設置される。
【００９８】
以上の構成、機能により、無線ＩＣカード２は、自動券売機３に挿入することにより予め該無線ＩＣカード２に対応する設定情報が設定され、内部メモリのＲＡＭ等に記憶される。設定後の無線ＩＣカード２を自動改札機１のアンテナ部１１に近づけることにより、設定情報等がチャージ残額のデータとともに自動改札機１に送信され、自動改札機１は減算後のチャージ残額をデータベース等にアクセスすることなく、受信した設定情報に従って表示部１２の表示を制御する。
【００９９】
第４の実施形態では、データセンタと接続する構成を前提とすることなく、旅客側で残額の表示の有無や表示を開始する上限、下限金額の設定、更には携帯電話機へのメール送信による表示（通知）機能を追加することが可能である。
【０１００】
以上、本発明の一実施形態として電車等の改札システムへの適用例で説明したが、本発明はバス等への乗降、遊園地、映画館等への入退場、テーマパーク内のアトラクションへの入退場、更には店舗での買い物等、電子マネーを設定装置で無線ＩＣカードに予めチャージしておき、該電子マネーを用いて所定料金を支払う等の決済を伴うような各種の決済装置を使用する決済システムに適用することができる。以下、かかる決済システムへの適用例を第５の実施形態として説明する。
【０１０１】
（第５の実施形態）
図２４は本発明の第５の実施形態のシステム構成を示す図である。決済時にチャージ残額が表示部８２に表示される決済装置８と、電子マネー機能付き無線ＩＣカード９と、少なくとも所定の金額範囲の残額表示を非表示にする設定情報を設定できる設定装置１０と、から構成される。
【０１０２】
本実施形態では、ユーザーは設定装置９に無線ＩＣカード９を挿入し、タッチパネル１０１を操作して電子マネーをチャージでき、無線ＩＣカード９の不揮発性ＲＡＭ等に電子マネーを記憶できる。また、決済時に残額が表示部８２に表示される決済装置８に対し、チャージ残額を少なくとも所定の金額範囲で非表示とする情報を設定可能である。この設定情報は設定装置９により無線ＩＣカード９のＲＡＭ、制御サーバが管理するデータベース等の任意箇所の設定情報記憶手段に記憶可能である。
【０１０３】
図２５は決済装置８、無線ＩＣカード９及び設定装置１０の機能ブロックを示す図である。決済装置８は、図２５（ａ）に示すように制御部８３が無線ＩＣカード９との送受信及び残額を書換える送受信／残額書替手段８ａと、受信したチャージ残額から所定額を減算する決済手段８ｂと、前記設定情報記憶手段から設定情報を取得する設定情報の取得手段８ｃと、設定情報に従って減算後のチャージ残額の表示部８２への表示又は非表示を制御する残額の表示制御手段８ｄと、を備える。
【０１０４】
無線ＩＣカード９は、図２５（ｂ）に示すように決済装置８に対するチャージ残額等の送受信と残額の書替えを行う送受信／残額書替手段９ａと、少なくとも残額データ及び識別情報の記憶、読み出しを行う残額データ及び識別情報等の記憶手段９ｂと、設定装置１０による電子マネーのチャージ等の処理手段９ｃと、を備える。
【０１０５】
設定装置１０は、図２５（ｃ）に示すように、電子マネーのチャージ等の処理手段１０ａと、設定情報を設定する表示設定手段１０ｂと、前記設定情報記憶手段に対して設定情報を送信する設定情報の送信手段１０ｅと、を備える。
【０１０６】
第５の実施形態の決済装置８、無線ＩＣカード９及び設定装置１０の装置構成は、図２〜４に示す構成と同様であり、それぞれの各手段は、それぞれコンピュータの制御プログラムにより実現される。
【０１０７】
前述のように、決済装置として自動改札機について説明してきたが、本発明の適用は自動改札機に限定されるものではない。図２４に示す最小限の構成を満たせば、種々の決済装置に関して適用することができる。図２４を元に、もっとも基本となる第５の実施形態について説明する。
【０１０８】
第５の実施形態の決済情報の表示動作として、チャージ残額の非表示又は表示範囲を示す表示金額範囲の情報を用いた処理フローチャートにより説明する。
【０１０９】
図２６は第５の実施形態の設定装置での無線ＩＣカードの設定に関する処理フローチャートを示す図である。  
無線ＩＣカード９を設定装置１０に挿入すると（ステップＳ３０１）、設定装置１０はチャージ残額の表示又は非表示と、該表示の選択時の金額範囲の設定が可能な表示設定画面を表示する（ステップＳ３０２）。ユーザーがチャージ残額の表示を選択し（ステップＳ３０３、ＹＥＳ）、表示金額範囲を設定すると（ステップＳ３０４）、設定装置１０は当該設定情報を任意の設定情報記憶手段に登録する（ステップＳ３０５）。また、ステップｓ３０３でユーザーがチャージ残額の非表示を選択すると（ステップＳ３０３、ＮＯ）、設定装置１０は非表示の設定情報を設定し、当該設定情報を設定情報記憶手段に登録する（ステップＳ３０５）。設定装置１０は設定処理が終了すると無線ＩＣカード９を排出しユーザーに返却する（ステップＳ３０６）。以上により少なくとも所定の金額範囲の残額表示を非表示に制御する設定情報の設定が実現可能である。
【０１１０】
図２７は第５の実施形態の決済装置でのチャージ残額の表示動作の処理フローチャートを示す図である。  
決済装置８はアンテナ部８１への無線ＩＣカード９の接近を検出すると（ステップＳ３２１）、無線ＩＣカード９のチャージ残額による決済を行い（ステップＳ３２２）、前記設定情報記憶手段から当該無線ＩＣカード９の設定情報を取得する（ステップＳ３２３）。取得した設定情報が表示の情報の場合は（ステップＳ３２４、ＹＥＳ）、決済装置８は、設定情報の表示金額範囲のチャージ残額の場合にのみ表示部８２に該チャージ残額を表示する制御を行う（ステップＳ３２５）。取得した設定情報が非表示の情報の場合は（ステップＳ３２４、ＮＯ）、決済装置８は、チャージ残額を非表示とする制御を行う（ステップＳ３２６）。以上により少なくとも所定の金額範囲の残額表示を非表示にする表示制御が実現可能である。
【０１１１】
第５の実施形態においても、無線ＩＣカード９に対応して記憶される設定情報として、第２、３の実施形態と同様な表示を行うチャージ残額の上限、下限、表示先等を含む設定情報を設定可能に構成できる。また同様に携帯電話機へのメール送信の設定とメールアドレスの情報の設定が可能である。この場合は図２４に示すシステムにメール送信サーバ等が設置される。
【０１１２】
また、設定装置１０が表示を開始する上限、下限金額の設定を可能に構成し、更に携帯電話機へのメール送信による表示（通知）の設定を可能に構成した場合、決済装置８も第２、３の実施形態の自動改札機と同に前記設定に従った表示の制御を行うように構成される。なお、本実施形態の前記表示金額範囲の情報は非表示金額範囲として設定することと同等であるこというまでもない。
【０１１３】
（他の実施形態）
本発明は、無線ＩＣカードの識別情報や少ない設定データにより決済装置（自動改札機）の表示機能等を制御可能であり、設定情報のデータ量は最小限で実現できるから、本発明の他の実施形態として、前記第１〜３の実施形態のようにデータセンタのデータベースを逐一利用する代わりに、設定情報を決済装置（自動改札機）毎に記憶し、又は決済装置（自動改札機）毎に記憶した設定情報をデータセンタのデータベースにより定期的に更新、管理するように構成して、無線ＩＣカードへの記憶を回避し且つデータベースへの個別のアクセスをも回避するように構成することが可能である。つまり、設定情報は決済装置（自動改札機）又は設定装置（自動券売機）に関連して近傍等の任意の場所の前記設定情報記憶手段に記憶することが可能である。
【０１１４】
以上の実施形態の設定情報の表示又は非表示の制御情報としては表示「０」／非表示「１」の２情報とする代わりに、非表示の１情報の制御情報とし、非表示の設定情報が存在する場合に決済装置（自動改札機）に表示される残額表示を停止させるように構成することが可能である。
【０１１５】
また、第２、３の実施形態のメール送信先として携帯電話機の例を示したが、これは他の携帯情報端末、ＰＣ等、メール受信機能を有する通信装置であればよいことは明らかである。
【図面の簡単な説明】
【０１１６】
【図１】本発明の第１の実施形態の自動改札システムのシステム構成概要を示す図である。
【図２】自動改札機１の機能、構成を示す図であり、同図（ａ）は機能ブロック、同図（ｂ）は装置構成である。
【図３】無線ＩＣカード２の機能、構成を示す図であり、同図（ａ）は機能ブロック、同図（ｂ）は装置構成である。
【図４】自動券売機３の機能、構成を示す図であり、同図（ａ）は機能ブロック、同図（ｂ）は装置構成である。
【図５】制御サーバ４の構成を示す図であり、同図（ａ）は機能ブロック、同図（ｂ）は装置構成である。
【図６】第１の実施形態の自動券売機での無線ＩＣカードの設定に関する処理フローチャートを示す図である。
【図７】自動券売機３の処理選択画面を示す図である。
【図８】自動券売機３の残額の表示、非表示設定画面を示す図である。
【図９】自動券売機３の設定確認画面を示す図である。
【図１０】第１の実施形態のチャージ残額の表示、非表示の動作の処理フローチャートを示す図である。
【図１１】本発明の第２の実施形態の自動改札システムのシステム構成概要を示す図である。
【図１２】第２の実施形態の自動改札機１の機能ブロック及びデータベース５の内容を示す図である。
【図１３】第２の実施形態の自動券売機３での無線ＩＣカードの設定に関する処理フローチャートを示す図である。
【図１４】自動券売機３の処理選択画面を示す図である。
【図１５】自動券売機３の表示金額範囲設定画面を示す図である。
【図１６】自動券売機３の表示方法選択画面を示す図である。
【図１７】自動券売機３のメールアドレス入力画面を示す図である。
【図１８】自動券売機３の設定確認画面を示す図である。
【図１９】第２の実施形態のチャージ残額の表示、非表示の動作の処理フローチャートを示す図である。
【図２０】第３の実施形態の自動券売機３における処理フローチャートを示す図である。
【図２１】第３の実施形態のチャージ残額の表示、非表示の動作の処理フローチャートを示す図である。
【図２２】本発明の第４の実施形態のシステム構成を示す図である。
【図２３】自動改札機１、無線ＩＣカード２及び自動券売機３の機能ブロックを示す図である。
【図２４】本発明の第５の実施形態のシステム構成を示す図である。
【図２５】決済装置１、無線ＩＣカード２及び設定装置３の機能ブロックを示す図である。
【図２６】第５の実施形態の設定装置での無線ＩＣカードの設定に関する処理フローチャートを示す図である。
【図２７】第５の実施形態の決済装置でのチャージ残額の表示、非表示の動作の処理フローチャートを示す図である。
【符号の説明】
【０１１７】
１  自動改札機
１１、８１  本体アンテナ部
１２、８２  表示部
１３  改札制御部
２  無線ＩＣカード（電子マネー機能付き無線ＩＣカード）
３  自動券売機
３１、１０１  タッチパネル
４  制御サーバ
５  データベース
６  メール送信サーバ
７  携帯電話機
８  決済装置
８３  制御部
９  電子マネー機能付き無線ＩＣカード
１０  設定装置
【図１】
0005217360.tif 000002
【図２】
0005217360.tif 000003
【図３】
0005217360.tif 000004
【図４】
0005217360.tif 000005
【図５】
0005217360.tif 000006
【図６】
0005217360.tif 000007
【図７】
0005217360.tif 000008
【図８】
0005217360.tif 000009
【図９】
0005217360.tif 000010
【図１０】
0005217360.tif 000011
【図１１】
0005217360.tif 000012
【図１２】
0005217360.tif 000013
【図１３】
0005217360.tif 000014
【図１４】
0005217360.tif 000015
【図１５】
0005217360.tif 000016
【図１６】
0005217360.tif 000017
【図１７】
0005217360.tif 000018
【図１８】
0005217360.tif 000019
【図１９】
0005217360.tif 000020
【図２０】
0005217360.tif 000021
【図２１】
0005217360.tif 000022
【図２２】
0005217360.tif 000023
【図２３】
0005217360.tif 000024
【図２４】
0005217360.tif 000025
【図２５】
0005217360.tif 000026
【図２６】
0005217360.tif 000027
【図２７】
0005217360.tif 000028